(57)【要約】【課題】  従来の手押し台車を使用する際の、重量物の積み降ろしの作業性向上、さらには用途拡大への対処策を提供する。【解決手段】  荷台１と荷台１の下に配された、軸の両端に取り付けられた主車輪２有する手押し台車の、荷台１の前端に、補助車輪支持脚４を回動可能に取り付ける。これによって補助車輪を上げ下げ可能とし、補助車輪３の上げ下げは、補助車輪支持脚操作用ロッド７によって行う。このような構造とすることで、補助車輪３の非使用状態においては、荷台１の前端が、床また地面に接触するまで傾けることができるので重量物の積み下ろしの作業性が向上し、補助車輪３の使用状態においては、通常の台車と同様に使用可能となり、例えば、座椅子を取り付けることで、緊急時の要介護者の搬送などに使用可能となる。【選択図】図１
2016034821.tif 000002
【特許請求の範囲】
【請求項１】
荷台と、前記荷台のほぼ中央の下部に配された車軸の両端に取り付けられてなる主車輪と、前記荷台の後部に接合されてなる手押し用把手と、を有する手押し台車において、前記荷台のほぼ前端に配された回動軸に取り付けられてなる補助車輪支持脚と、前記補助車輪支持脚の先端部に取り付けられてなる補助車輪と、一方の端が前記補助車輪支持脚のほぼ中央部に枢着され、操作用把手が形成された他方の端が、前記荷台の後部に配されてなる補助車輪支持脚操作用ロッドと、前記補助車輪支持脚操作用ロッドに接合されてなる少なくとも２箇の係止用突起と、前記荷台における、前記補助車輪支持脚操作用ロッドが配された側に設けられてなる、前記係止用突起を係止するための係止用部材と、を有することを特徴とする、手押し台車。
【請求項２】
前記手押し用把手は、前記荷台の後部に枢着されてなり、先端が前記荷台の前部に回動可能であることを特徴とする、請求項１に記載の手押し台車。
【発明の詳細な説明】
【技術分野】
【０００１】  本発明は、農作業や建設現場など使用され、種々の荷を搬送する手押し台車に関し、特に重量物の積み下ろしに適した構造を有する手押し台車に関するものである。
【背景技術】
【０００２】  建設工事、土木工事、農作業などにおいては、１箇の車輪または、同一のシャフトの両端に一対の車輪が設けられた、小型で、手押しにより操作可能な台車が多用され、猫車と称されることがある。この名称は、猫のように狭い場所に入ることができる特徴によると言われている。【０００３】  図２は、このような手押し台車で車輪が１箇の例を示す。この１輪の手押し台車は、図２に示したように、荷台１３の前方に、車輪１４が取り付けられ、荷台１３の後方に手押し用把手１６が取り付けられ、手押し把手１６と荷台１３の間に、支柱１５が取り付けられた構造となっているのが一般的である。【０００４】  この手押し台車は、重心が車輪１４の後方にあるので、荷物や土砂を積む際は、車輪１４と支柱１５で全体を支え、移動の際には、支柱１５の下端が地面から離れる高さまで、手押し用把手１６を手で持ち上げ、押すという使い方になる。なお、図２に示した手押し台車には、図の紙面の奥側に、図示していないもう一つの支柱があり、車輪１４と二つの支柱１５で、荷台１３を支持するようになっている。【０００５】  このような構造に起因する問題として、地面または床面に置いてある、重量物を荷台１３に載せるには、当該重量物を、荷台１３の上縁の高さまで持ち上げる必要があり、クレーンなどが使えない場所では、人力のみで持ち上げる必要が生じることが挙げられる。これに対処するには、荷台の前側の縁が地面や床面に接するまで、荷台を前方に傾けるという方法が考えられる。【０００６】  しかし、図２に示した従来の手押し台車では、荷台１３の前部が地面や床面に接するまで手押し用把手１６を持ち上げると、手押し台車がほぼ垂直となり、重量物の積載や積み下ろしが、極めて困難な状態となる。また、特許文献１には、荷台を前方に傾斜させる際に、車輪が動かないように抑えるためのストッパーを設けた猫車が開示されている。しかし、このような構造でも、前記の課題には、必ずしも十分には対処できない。【０００７】  また、前記の２輪の手押し台車は、図２に示した１輪の手押し台車よりも直立安定性が高い。しかし、前記のように、重量物を積載する場合に生じる問題には、対処が困難である。さらに前記課題とは別に、近年の人口の高齢化に伴う要介護者の増加によって、災害などの際の要介護者の搬送手段についての選択肢拡充が要求されている。
【先行技術文献】
【特許文献】
【０００８】
【特許文献１】  特開２００９−０７８６４５号公報
【発明の概要】
【発明が解決しようとする課題】
【０００９】  本発明は、前記のような、従来の手押し台車を使用する際の、重量物の積み降ろしの作業性向上、さらには用途拡大への対処策を提供することにある。
【課題を解決するための手段】
【００１０】  本発明者は、前課題解決のため、重量物の積み降ろしに際しては、荷台の前部が地面や床面の接するまで、荷台を傾けることが可能であり、必要に応じて車輪の数を３箇以上にすることにより、自立安定性が増加し、通常の台車と同様の用途にも適用可能とすることを検討した結果、なされたものである。【００１１】  即ち、本発明は、荷台と、前記荷台のほぼ中央の下部に配された車軸の両端に取り付けられてなる主車輪と、前記荷台の後部に接合されてなる手押し用把手と、を有する手押し台車において、前記荷台のほぼ前端に配された回動軸に取り付けられてなる補助車輪支持脚と、前記補助車輪支持脚の先端部に取り付けられてなる補助車輪と、一方の端が前記補助車輪支持脚のほぼ中央部に枢着され、操作用把手が形成された他方の端が、前記荷台の後部に配されてなる補助車輪支持脚操作用ロッドと、前記補助車輪支持脚操作用ロッドに接合されてなる少なくとも２箇の係止用突起と、前記荷台における、前記補助車輪支持脚操作用ロッドが配された側に設けられてなる、前記係止用突起を係止するための係止用部材と、を有することを特徴とする、手押し台車である。【００１２】  また、本発明は、前記手押し用把手が、前記荷台の後部に枢着されてなり、先端が前記荷台の前部に回動可能であることを特徴とする、前記の手押し台車である。
【発明の効果】
【００１３】  本発明に係る手押し台車は、補助車輪支持脚を補助車輪支持脚操作用ロッドの操作により、必要に応じて車輪の数を２箇ないし４箇の範囲で変えられるので、２輪の状態では、前端部が床や地面に接するまで、荷台を傾斜させることが可能で、３輪または４輪の状態では、自立安定性を確保できる。【００１４】  従って、２輪の状態における重量物の積み下ろしの作業性を向上し、３輪または４輪の状態では、通常の台車と同様に使用可能で、例えば座椅子を搭載することで、緊急時の要介護者の搬送にも使用可能である。
【図面の簡単な説明】
【００１５】
【図１】  本発明に係る手押し台車の一例を示す図、図１（ａ）は補助車輪の使用状態、図１（ｂ）は補助車輪の非使用状態。
【図２】  従来の手押し台車の一例を示す図。
【発明を実施するための形態】
【００１６】  次に本発明の実施の形態について、具体的な図に基づいて説明する。
【００１７】  図１は、本発明に係る手押し台車の一例を示す図で、図１（ａ）は補助車輪の使用状態、図（ｂ）は補助車輪の非使用状態を示す。図において、１は荷台、２は主車輪、３は補助車輪、４は補助車輪支持脚、５は回動軸、６は枢着部、７は支持脚操作用ロッド、８は操作用把手、９ａは第一の係止用突起、９ｂは第二の係止用突起、１０は係止用部材、１１は手押し用把手、１２は手押し用把手回動軸である。
【００１８】  図１に示した例においては、荷台２の両側に主車輪が備え、回動軸５の両端、つまり、図の紙面における前後に１対の補助車輪を備えている。補助車輪３を使用している状態では、第一の係止用突起９ａが、荷台１に側部に接合固定された係止用部材１０に係合しているので、補助車輪３は搖動することなく固定され、安定した自立状態が得られる。ここでは、補助車輪が一対備えられた例を示したが、基本的に３点支持であれば、自立状態が得られるので、補助車輪は１箇のみでもよい。
【００１９】  また、補助車輪３の非使用状態では、第二の係止用突起９ｂが係止用部材１０に係合しているので、２輪状態が維持され、通常の２輪の手押し台車として使用できる。また、補助車輪３の非使用状態では、荷台の前端が地面や床面に接するまで傾けることができるので、重量物の積み下ろしの作業性が向上することは前述の通りである。
【００２０】  なお、ここでは、手押し用把手１１が、補助車輪３の使用状態では、荷台１の前端の方に屈曲された状態、補助車輪３の非使用状態では、荷台１の後方に延長された状態を示したが、補助車輪３の配置状態に関わらず、手押し用把手１１を屈曲させたり、延長させたりすることができるのは勿論である。
【００２１】  以上に説明したように、本発明によれば、重量物の積み降ろしの作業性向上、さらには用途拡大に対応した手押し用台車を提供できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２２】１，１３  ・・・荷台
２，１４  ・・・主車輪
３  ・・・補助車輪
４  ・・・補助車輪支持脚
５  ・・・回動軸
６  ・・・枢着部
７  ・・・補助車輪支持脚操作用ロッド
８  ・・・操作用把手
９ａ  ・・・第一の係止用突起
９ｂ  ・・・第二の係止用突起
１０  ・・・係止用部材
１１，１６  ・・・手押し用把手
１２  ・・・手押し用把手回動軸
１５  ・・・支柱
【図１】
2016034821.tif 000003
【図２】
2016034821.tif 000004